(57)【特許請求の範囲】
【請求項１】
（イ）段ボール箱の板厚の内部にピンを突き込んで留め付く、あるいは挟み付く留め具として、ピンと本体部とからなり、段ボール箱にピンを正面から突き刺したとき、ピン先が段ボール箱の内側に突き出ない位置で突き止まり、ピン先を突き刺したまま、ピンを段ボール箱に倒して押し当て、段ボール箱に沿って突き込んで留め付ける留め具であって、
（ロ）ピンと本体部とからなる、
（ハ）ピンと本体部は、共に一方の端で１つにつながり、対向して延びる、
（ニ）ピンは、本体部とつながる付け根あるいは付け根寄りが、折り曲ってなる、
（ホ）本体部は湾曲して、あるいは折り曲って、取っ手となる形状を成し、ピンと挟み合うように延びる、
（ヘ）本体部は、段ボール箱にピンを正面から突き刺したとき、ピンの先端が段ボール箱の内側に突き抜けないための歯止めとするため、また、ピンを段ボールの板厚の内部に沿って突き込むガイドあるいは抑えとするために、ピンの先端からやや内に入った位置まで延びて、ピンに当接する或いはピンと挟み合う形状をなす、
（ト）ピン、あるいは本体部とピンの境目は、ピンが所定以上に突き入ることを止める歯止めとなる形状をもつ、
（チ）以上の如き特徴をもつ留め具。
【発明の詳細な説明】
【０００１】
【発明の属する技術分野】
段ボール箱の側面に、チラシや伝票などの紙片を留め付けるために、ピンを刺し込んで留め付ける留め具についてのものである。
【０００２】
【従来の技術】
従来使われているピンや画鋲は、本体、あるいは取っ手の正面から直角に突き出した針をもつもので、一定の厚みをもつ個所に突き刺して留め付けることはできるが、段ボール板のようにその内部に中空をもつものに、裏面に突き抜けない形で留め付けることはできない。その他には、刺し込むピンの側と、それを受け込む側とを別々にもって、セットで使用するもので、受け込み側の底部に磁石を付け合わせておき、冷蔵庫の扉などに取り付けて使用するもの（実開平6−63360）などがあるが、段ボール箱の側面に留め付けるピンとして使用できるものはない。
【０００３】
【発明が解決しようとする課題】
（イ）段ボール箱の側面に、チラシや伝票などの紙片を留め付けるために、ピンを刺し込んで留め付ける留め具を得ること。
（ロ）ピンを刺したとき、刺し込み過ぎて、箱の中の商品を損傷させることがないこと。即ち、箱の内側にピン先を突き出さない形で留め付くこと。
（ハ）しっかり安定した状態に留め付くことができること。
（ニ）取り扱いがしやすく、便利に使用できること。
【０００４】
【課題を解決するための手段】
（イ）本発明は、段ボール箱の板厚の内部にピンを突き込んで留め付く、あるいは挟み付く留め具として、ピンと本体部とからなり、段ボール箱にピンを正面から突き刺したとき、ピン先が段ボール箱の内側に突き出ない位置で突き止まり、ピン先を突き刺したまま、ピンを段ボール箱に倒して押し当て、段ボール箱に沿って突き込んで留め付ける留め具であって、
（ロ）ピンと本体部とからなる、
（ハ）ピンと本体部は、共に一方の端で１つにつながり、対向して延びる、
（ニ）ピンは、本体部とつながる付け根あるいは付け根寄りが、折り曲ってなる、
（ホ）本体部は湾曲して、あるいは折り曲って、取っ手となる形状を成し、ピンと挟み合うように延びる、
（ヘ）本体部は、段ボール箱にピンを正面から突き刺したとき、ピンの先端が段ボール箱の内側に突き抜けないための歯止めとするため、また、ピンを段ボールの板厚の内部に沿って突き込むガイドあるいは抑えとするために、ピンの先端からやや内に入った位置まで延びて、ピンに当接する或いはピンと挟み合う形状をなす、
（ト）ピン、あるいは本体部とピンの境目は、ピンが所定以上に突き入ることを止める歯止めとなる形状をもつ、
（チ）以上の如き特徴をもつ留め具である。
【０００５】
基本的な形状として、本体部の端部、あるいは側部から張り出すピンの付け根に、折り曲りをもつものとした。本体部から張り出すピンを、段ボール箱の側面からその内部に跨ぎ込むかたちで留め付けるためである。本体部は取っ手としても使用する。尚、ピンと係る本体部の形態として３通りのもの（図１〜４のもの、図５、６のもの、図７のもの）とした。
【０００６】
【発明の実施の形態】
この発明は、段ボール箱の側面に紙片を留め付けるために、ピンを突き込んで留め付ける留め具である。段ボール箱を形成する段ボール板は、一般的には内面の空洞が縦穴になる形で使用される。その縦穴にピンを側面の斜め上から突き込み、その内面を用いて留め付くものである。
以下、発明の実施の形態を実施例に基づき、図面を参照して説明する。
【０００７】
図１、２、３、４は、本体部が湾曲し、ピンの先端からやや内に入った位置に押え付く形状をもつものである。以下、その形状を押えと云う。押えは段ボール箱の表側の表紙に突き込んだピンとともに表と裏から、あるいは外と内から挟み付くものである。図１、２は板を折り曲げた形状の押えをもつものである。図３は棒を折り曲げた形状の押えをもつものである。図４はワイヤーを折り曲げて作るものとした留め具で、本体部とピンの境目に、ピンが留め針であるための頭（13r）を付けたものである。実施例ではそれぞれピンの太さを１ミリ、長さを20ミリのものとした。図１、２、３、４で示す本体部は、耳状の折り曲りをもつ取っ手であるとともに、その折り曲りをバネとして押え付く押えでもある。尚、図１、２、３、４は、基本的な形状を同じくした上で、本体部を変形してもつこともできる例として示したものである。
【０００８】
図１、２、３、４に示すものは、押えはピンを突き込む際にピン先が段ボール箱の内部に突き出ないよう抑える役目をする。押えは湾曲して折り曲り、押え付くためのバネを生むとともに、その折り曲りを耳状（図１、２、３、４）にするなどして、取っ手ともする。押えは段ボールの内面に突き込まれたピンとともに、段ボールの表側の表紙に裏と表から挟み合う押えの役目をする。
【０００９】
尚、図１、３は、内に曲り込む曲りで押え付く押えをもつものである。内に曲り込む曲りは、湾曲を大きくもつことになるのでバネの許容を大きくもつことができる。図２、４は、外に反り曲る曲りで押え付く押えをもつものである。外に反り曲る曲りは、取っ手とする形状をつくる任意性を大きくもつ。尚、図２は、ピン先をやや内側に向けて反りをもたせたものである。図１、２、３、４はそれぞれピンと本体部との境目がはっきりしており、ピンが必要以上に突き込まれることがないので、段ボール箱の内側にピン先が突き出ることもなく、また、押えによって段ボール内部の穴洞に沿ってピンを突き込むことができる。
【００１０】
図２は、ピンの先端が押えの先端よりやや突き出したものである。突き出る長さは３〜４ミリ程度が良い。段ボール箱への留め付けは、まず留め付ける紙片を当て付け、その上から画鋲を刺すようにピンを横にして真っ正面から突き刺す。ピンは、押えの先端から突き出ている部分だけが突き刺さるので、ピン先が段ボール箱の内側に突き抜けることはない。次にピンを立てて、押し下げるかたちで突き込み、留め付けが完了する。
【００１１】
図２は、ピンの先端を押えの先端に近い位置で、やや外側に向けて反りをもたせたものである。段ボール箱へ留め付けるとき、段ボール箱の側面にピン先を押し当て、まず擦り押し下げ加減に押し下げて留め付ける。ピン先は反りを大きくすると刺し込みやすいが、ピン先が段ボール内面に突っ掛ってしまうので、斜め上から押し下げ気味にして、刺さり得る最小の反りにとどめておくのが良い。尚、擦り押し、あるいは押し下げに際し、押し付ける力が効果的に働くよう、ピンの反り返り際が、押えの面にしっかりと押え付いている状態のものにしておくと良い。
【００１２】
図１、２、３、４に示すものは、２通りの使い方ができる。１つは紙片を段ボール箱の側面に直に刺し留める使い方である。もう１つは、ピン側は留め具自体が取り付くためのものとして使用し、留め付けた留め具の手前側に紙片を挟み込んで挟持する使い方である。
【００１３】
（イ）図５に示すものは、ピンと、取っ手を兼ねた本体部とからなる、
（ロ）ピンは一方の端で、本体部の端部あるいは側部と１つに繋がる、
（ハ）ピンは、本体部との付け根が本体部の正面外側に折り曲ってなり、あるいは、付け根寄り部分が本体部の正面外側になだらかに折り曲ってなり、
（ニ）その折り曲りの外側に、本体部から突き出たかたち（押え込みエッジ）を有す、
（ホ）本体部を向こう側に、ピンを手前側にし、押え込みエッジの押え付く面を真横にして正面から縦に見たとき、ピンは付け根から先端まで縦に真っ直ぐに延びて見える、また、押え込みエッジは左右に延びている、
（ヘ）以上の如き特徴をもつものである。
留め付けに於いては、ピン先が段ボール箱の内部に突き出ないように注意が必要であるが、取っ手とする本体部を板状のものにして３本指で使用すると、僅かな手加減で留め付けることができる。この留め具の場合は、ピンを適度な長さにもつことが大切である。短かすぎるとピン先が段ボールの内面で浮いてしまい外れ易いものになる。
【００１４】
図５に示すものは、段ボール箱の側面から斜め下に向けて突き込んだとき、押え込みエッジ（2n）が段ボール箱の側面にあたり、ピンを突き込んだ刺し込み孔を支点にして突き込んだピンに、仰け反る力が働き、その力がピンの先端部に伝播して、ピンの先端側部が段ボール内面の奥側表紙の内側に突っ張るものとなる。ピンの頭部が後ろに仰け反る力（2j）と、ピンの先端側部が前に突っ張る力（2k）とが、ピンを支える刺し込み孔（2i）を支点にして、バランスして留め付くものである。
【００１５】
ピンは段ボール箱の側面斜め上から下に向けて刺し込み、更に段ボール内面の中空の穴筋に沿って突き込むことから、ピンの付け根は、段ボール側面からその内部に跨ぎ込む、即ち、付け根部分に跨ぎ込みの形として折り曲りをもつものとしている。ピンは、本体部との付け根が、本体部の正面外側に折り曲ってなり、あるいは、付け根寄り部分が本体部の正面外側になだらかに折り曲ってなることから、斜め下に向けて刺し込んだピンは、斜め上に向けて抜き取ることができるが、このとき斜め下に向けて、跨ぎ込んでピンがその付け根までしっかり入ってしまっていると、ピン自体の付け根上面が引っ掛かって抜き取りしにくくなるので、ピンは斜め上から突っ掛け状態で留め付くものにすると良い。押え込みエッジ（1n）はその枕として働くものである。
【００１６】
尚、ピンは付け根に曲りをもたせることから、そこを支点にしてピンの頭部が左右に振れ動くものになる。これを抑えるのも押え込みエッジの役割である。そのために押え込みエッジは横幅をもつものとした。この留め具は押え込みエッジが段ボール箱の側面にピッタリ押え付いた状態で安定した留め付きを得ることができるものである。
【００１７】
図５は、本体部から斜めにピンが突き出しているものである。図６は、図５のものを段ボール箱の側面に留め付けた状態を示すものである。ピンを斜め下向きにして突き込み、突き止った状態が留め付いた状態になる。この留め具を使用するに於いて注意することは、突き込みに於いて、ピン先が段ボール奥側の表紙を突き出さないように手加減することである。
【００１８】
留め具を作る上では、図６に見るように、留め付けた状態でピンの付け根に僅かな空間が残る程度のゆとりを残して、本体部の角に出っ張る押え込みエッジ（2n）が、段ボール箱の表面に押え付いた状態になるようにすると良い。このことはピンの付け根の折り曲り具合、ピンの長さの程度、押え込みエッジの出っ張りの程度など総合的な絡み合いで定まることである。更には対象とする段ボール箱の段ボール板の厚みとも係わってくる。因みに、ピンの長さは余り短くしないことである。短いとピン先の尖りが災いして段ボール奥側の表紙を突き破ってしまったり、またピンが段ボール内部の空間で遊んでしまったりする。先端が針の如く尖ったピンでなければならないのは、留め付ける最初の手順に於いて、ピン先を段ボール表面に刺し込む時だけのことである。留め付けた段階ではピンの先端側部が内面に当て付いている状態が良い。そのために一定の長さをもつものが良い。
【００１９】
また、ピンはその付け根に折り曲りをもつことから、折り曲り部分が軸となり、刺し込み孔が軸受けとなって、本体部（1a、2a）が左右に振れて安定することができない。それを抑えるのも押え込みエッジである。押え込みエッジが段ボール箱の側面に押え付いたとき、横振れがしないものとなる。実施例ではピンの太さ１ミリ。ピンの長さ25ミリ、本体部の横幅13ミリ、即ち、押え込みエッジの横幅13ミリ、厚み５ミリその中間をピンの付け根とし、その折り曲りは図６に示した如くなだらかな曲りをもつものとした。
【００２０】
図７に示すものは、本体部がピンの手前側にピンと添い合う形状（3a）をもつものである。以下、その形状を抑えと云う。抑えはピンを刺し込むときピン先が段ボール箱の内側に突き抜けることのないよう抑える役目をする。抑えはピンが段ボール内面の中空の穴筋に沿って突き込まれるよう抑えの役目をする。抑えは段ボール内面に突き込まれたピンとともに段ボールの表紙に裏と表から抑え合う役目をする。図７に示すものは、紙片を段ボール箱あるいは段ボールの側面に、直接に、刺し留めるあるいは留め付けるものである。
【００２１】
図７は、本体がピンと添い合う形状をもつものである。図７は、ピンの先端が抑えの先端よりやや突き出したものである。突き出る長さは３〜４ミリ程度が良い。段ボール箱への留め付けは、まず留め付ける紙片を当て付け、その上から画鋲を刺すようにピンを横にして、真っ正面から突き刺す。ピンは抑えの先端から突き出ている部分だけが突き刺さるので、ピン先が段ボール箱の内側に突き抜けることはない。次にピンを立てて押し下げる形で突き込み、留め付けが完了する。
【００２２】
尚、抑えとピンとの関係は基本的なことであるが、その関係に支障のない限り、本体部を変形してもつことは任意である。図７は、取っ手を抑えの上方にもつものとした例である。これにより図７では、ピンが本体部の側部から張り出したものなる。基本的なことは何ら変わるものでないが、構成の仕方で大きくイメージの異なったものにすることができる。
【００２３】
【発明の効果】
糊を用いて貼り付ける、セロハンテープで留め付けるなどと比べ、段ボール箱の張り付け面を汚すことがないし、張り付け個所の表面を破き剥がすこともない。チラシなど広告紙片の留め付け、配送時の整理伝票の留め付けなど、広く利用できるものである。張り付け、張り替えが任意に行える。手軽で簡単な作業で付け外しができるなど格段の良さと便利さがある。
【図面の簡単な説明】
【００２４】
【図１】本発明の実施形態を示す斜視図である。
【図２】本発明の実施形態を示す斜視図である。
【図３】本発明の実施形態を示す斜視図である。
【図４】本発明の実施形態を示す斜視図である。
【図５】本発明の実施形態を説明する斜視図である。
【図６】図５の留め具が留め付いた状態を説明する図である。
【図７】本発明の実施形態を説明する斜視図である。
【００２５】
【符号の説明】
10a、11a、12a、13a      本体部（押え）
10b、11b、12b、13b      ピン
13r      ピンの頭
1a、2a      本体部
1b、2b      ピン
1n、2n      エッジ（押え込みエッジ)
2i      支点（刺し込み孔）
2j      仰け反る力
2k      突っ張る力
3a      本体部（抑え）
3b      ピン
3c      取っ手
【図１】
0004206001.tif 000002
【図２】
0004206001.tif 000003
【図３】
0004206001.tif 000004
【図４】
0004206001.tif 000005
【図５】
0004206001.tif 000006
【図６】
0004206001.tif 000007
【図７】
0004206001.tif 000008